(57)【要約】【課題】  本発明は、ユーザ自身を直接的に特定するための機器を所持することをユーザが意識する必要がなく、ユーザの所在に応じて家屋内の家電機器を制御することが可能な制御装置及び制御システムを提供する。【解決手段】  ユーザが意識せずに所持する常時携帯品に取り付けられた非接触ＩＣタグを、家屋内の入り口付近に設置されたＩＣタグＲＷで検知することにより、家屋内でのユーザの移動を検知し、検知情報に基づいてユーザが存在する部屋に設置された家電機器を、ユーザの移動に伴って制御する。【選択図】  図５
2005190274.tif 000002
【特許請求の範囲】
【請求項１】
家屋内に設置された電子機器を制御する制御装置において、
ユーザが所持する携帯品に取り付けられた非接触記憶媒体の識別情報と、この非接触記憶媒体が取り付けられた上記携帯品を所持するユーザに関する情報とを対応付けて記憶する記憶手段と、
上記家屋内において上記非接触記憶媒体の識別情報を検知した旨を示す検知情報を受信する受信手段と、
この受信手段によって受信された検知情報に基づいて、検知された識別情報に対応付けられたユーザに関する情報を上記記憶手段より判定する判定手段と、
この判定手段によって判定されたユーザに対応するよう上記電子機器の制御を実行する制御手段と、
を有することを特徴とする制御装置。
【請求項２】
上記判定手段は、
上記受信手段によって受信された検知情報に基づいて、上記記憶手段に検知された上記識別情報が登録されているかを判定する登録判定手段と、
この登録判定手段によって登録されていると判定されると、検知された上記識別情報に対応付けられたユーザに関する情報を判定するユーザ判定手段と、
上記登録判定手段によって登録されていないと判定されると、検知された上記識別情報を上記記憶手段に格納する格納手段と、
を有することを特徴とする請求項１記載の制御装置。
【請求項３】
上記受信手段によって受信された検知情報に基づいて、ユーザが所定の空間に入室したか、または所定の空間から退室したかを判定する入退室判定手段を有し、
上記制御手段は、上記判定されたユーザに対応し、かつ上記入退室判定手段によって判定された入室または退室であるかによって上記電子機器の制御を実行するものであることを特徴とする請求項１記載の制御装置。
【請求項４】
上記入退室判定手段によってユーザの退室が判定されると、上記制御手段は、上記ユーザが退室した空間に設置された電子機器の動作状況に関する情報を取得すると共に、次に同一のユーザの入室が判定された際に、上記取得した動作状況に関する情報に基づいて検知された空間に設置された電子機器に対して制御を実行するものであることを特徴とする請求項３記載の制御装置。
【請求項５】
上記判定手段によって判定されたユーザに関する情報に基づいて、家屋内における複数の場所で同一ユーザが重複検知されているかを判定する重複検知手段を有し、
上記制御手段は、上記重複検知手段によって重複検知されていると判定されると、最新の検知情報に基づいて、上記ユーザに対応するよう上記電子機器の制御を実行するものであることを特徴とする請求項１記載の制御装置。
【請求項６】
ユーザが所持する携帯品に取り付けられた非接触記憶媒体の識別情報と、この非接触記憶媒体が取り付けられた上記携帯品を所持するユーザに関する情報とを対応付けて記憶する記憶手段と、
家屋内の所定空間の通路に取り付けられ、上記ユーザが所持する携帯品に取り付けられた非接触記憶媒体の識別情報を取得することにより上記非接触記憶媒体の存在を検知する複数の検知手段と、
この複数の検知手段からの検知結果に基づき上記所定空間へのユーザの入室あるいは退室を判定する入退室判定手段と、
上記検知手段によって検知された識別情報に基づいて、上記記憶手段で対応付けられたユーザに関する情報を判定するユーザ判定手段と、
この入退室判定手段による入室あるいは退室の判定結果と、上記ユーザ判定手段によって判定されたユーザに関する情報に基づいて、上記家屋内の所定空間に設置された電子機器の制御を実行する制御手段と、
を有することを特徴とする制御システム。
【請求項７】
上記検知手段によって検知された識別情報に基づいて、上記記憶手段に登録されているかを判定する登録判定手段と、
この登録判定手段によって登録されていないと判定されると、検知された上記識別情報を上記記憶手段に格納する格納手段と、
を有することを特徴とする請求項６記載の制御システム。
【請求項８】
上記入退室判定手段によってユーザの退室が判定されると、上記制御手段は、上記ユーザが退室した空間に設置された電子機器の動作状況に関する情報を取得すると共に、次に同一のユーザの入室が判定された際に、上記取得した動作状況に関する情報に基づいて検知された空間に設置された電子機器に対して制御を実行するものであることを特徴とする請求項６記載の制御システム。
【請求項９】
上記ユーザ判定手段によって判定されたユーザに関する情報に基づいて、家屋内における複数の場所で同一ユーザが重複検知されているかを判定する重複検知手段を有し、
上記制御手段は、上記重複検知手段によって重複検知されていると判定されると、最新の検知情報に基づいて、上記ユーザに対応するよう上記電子機器の制御を実行するものであることを特徴とする請求項６記載の制御システム。
【発明の詳細な説明】
【技術分野】
【０００１】
本発明は、ユーザの所有物あるいは着衣等に取り付けられた非接触ＩＣタグを検知することにより家屋内の家電機器の制御を行う制御装置及び制御システムに関する。
【背景技術】
【０００２】
従来、屋内においてユーザの所在を検知して、ユーザの存在が検知された部屋の家電機器を制御するシステムが開発されてきている。このようなシステムとして、例えば、ユーザが家屋内で過ごす際には、自分の所在を通知するための電子タグを常に携帯し、この電子タグの記憶部に格納されたユーザ名を検知することにより特定のユーザが所定の空間にいることを判定し、照明機器を制御するシステムが考えられている（例えば、特許文献１参照）。
【特許文献１】特開２００３−２８２２８３号公報
【発明の開示】
【発明が解決しようとする課題】
【０００３】
しかしながら、従来の装置は、ユーザを直接的に特定するための電子タグ（ユーザの所在を通知するためにユーザ名が格納された電子タグ）が必要であり、更にユーザはこの電子タグを家屋内に居る時は常に所持していなければならないという煩雑さが生じる。また、衣服に埋め込んだとしても、ユーザが家屋内に居る時には常にこの衣服を着用せねばならず、結果的に、ユーザは家屋内に居る時には常に電子タグのもち歩きを意識していなければならず、不便であるという問題点がある。
【０００４】
また、従来の装置では、所定の空間内にユーザがいるかどうかを検知するだけであったので、ユーザが電子タグの携帯を忘れて所定の空間に置きっ放しにしてしまった場合には、ユーザがその空間に居ない場合であっても、電子タグの存在に基づいてその空間にユーザが存在すると検知しつづけて制御してしまうという問題点があった。
【０００５】
本発明は、以上の点に鑑みなされたもので、ユーザ自身を直接的に特定するための機器を所持することをユーザが意識する必要がなく、ユーザの所在に応じて家屋内の家電機器を制御することが可能な制御装置及び制御システムを提供することを目的とする。
【課題を解決するための手段】
【０００６】
上記目的を達成するために、本発明の制御装置は、家屋内に設置された電子機器を制御する制御装置において、ユーザが所持する携帯品に取り付けられた非接触記憶媒体の識別情報と、この非接触記憶媒体が取り付けられた上記携帯品を所持するユーザに関する情報とを対応付けて記憶する記憶手段と、上記家屋内において上記非接触記憶媒体の識別情報を検知した旨を示す検知情報を受信する受信手段と、この受信手段によって受信された検知情報に基づいて、検知された識別情報に対応付けられたユーザに関する情報を上記記憶手段より判定する判定手段と、この判定手段によって判定されたユーザに対応するよう上記電子機器の制御を実行する制御手段と、を有することを特徴とする。
【０００７】
上記目的を達成するために、本発明の制御システムは、ユーザが所持する携帯品に取り付けられた非接触記憶媒体の識別情報と、この非接触記憶媒体が取り付けられた上記携帯品を所持するユーザに関する情報とを対応付けて記憶する記憶手段と、家屋内の所定空間の通路に取り付けられ、上記ユーザが所持する携帯品に取り付けられた非接触記憶媒体の識別情報を取得することにより上記非接触記憶媒体の存在を検知する複数の検知手段と、この複数の検知手段からの検知結果に基づき上記所定空間へのユーザの入室あるいは退室を判定する入退室判定手段と、上記検知手段によって検知された識別情報に基づいて、上記記憶手段で対応付けられたユーザに関する情報を判定するユーザ判定手段と、この入退室判定手段による入室あるいは退室の判定結果と、上記ユーザ判定手段によって判定されたユーザに関する情報に基づいて、上記家屋内の所定空間に設置された電子機器の制御を実行する制御手段と、を有することを特徴とする。
【発明の効果】
【０００８】
本発明によれば、ユーザ自身を直接的に特定するための機器を所持することをユーザが意識する必要がなく、ユーザの所在に応じて家屋内の家電機器を制御することができる。
【発明を実施するための最良の形態】
【０００９】
以下、本発明に係る実施の形態について図面を参照して詳細に説明する。図１は、本発明の一実施の形態に係る制御装置としてのホームサーバ（以下ＨＳと称す）１０を用いた制御システムＡを示す図である。
【００１０】
図１に示す制御システムＡは、複数の非接触ＩＣタグリーダライタ（以下ＩＣタグＲＷと称す）１Ａ、・・・、２Ｂと、ＨＳ１０と、家電機器としてのＴＶ１１、２１及びエアコン１２、２２等、及び非接触記憶媒体としての非接触ＩＣタグ１００とから構成されている。
【００１１】
ＩＣタグＲＷは、家屋内の各部屋の入り口付近に設けられており、非接触で通信可能な範囲内に非接触ＩＣタグ１００が存在する場合には、非接触ＩＣタグ１００の後述する識別情報を読み取り、その識別情報をＨＳ１０に対して送信することにより、非接触ＩＣタグ１００の存在をＨＳ１００に通知するものである。
【００１２】
図１に示すように、本実施例では、部屋Ａの入り口付近に複数（本実施例では２つ）のＩＣタグＲＷ１Ａ、１Ｂが入出方向に並んで取り付けられており、ＩＣタグＲＷ群１、２を成している。また、部屋Ｂの入り口付近に複数（本実施例では２つ）のＩＣタグＲＷ２Ａ、２Ｂが入出方向に並んで取り付けられている。
【００１３】
ＨＳ１０は、全てのＩＣタグＲＷ１Ａ、・・・、２Ｂと非接触で通信可能であり、特にＩＣタグＲＷ１Ａ、・・・、２Ｂから、各ＲＷにて検知した非接触ＩＣタグ１００の識別情報を受信するようになっている。そして、この一対のＩＣタグＲＷ１Ａ、１Ｂあるいは２Ａ、２Ｂが非接触ＩＣタグ１００を検知する順番に基づいて、ＨＳ１０は各部屋における非接触ＩＣタグ１００の入力状況を判断することができる。
【００１４】
即ち、部屋Ａの入り口付近において、非接触ＩＣタグ１００を、最初にＩＣタグＲＷ１Ａが検知し、次にＩＣタグＲＷ１Ｂが検知した場合には、ＨＳ１０によって部屋Ａへの非接触ＩＣタグ１００（を保持したユーザ）の入室が検知されることとなる。また、部屋Ａの入り口付近において、非接触ＩＣタグ１００を、最初にＩＣタグＲＷ１Ｂが検知し、次にＩＣタグＲＷ１Ａが検知した場合には、ＨＳ１０によって部屋Ａからの非接触ＩＣタグ１００（を保持したユーザ）の退室が検知されることとなる。
【００１５】
同様に、部屋Ｂの入り口付近において、非接触ＩＣタグ１００を、最初にＩＣタグＲＷ２Ａが検知し、次にＩＣタグＲＷ２Ｂが検知した場合には、ＨＳ１０によって部屋Ｂへの非接触ＩＣタグ１００（を保持したユーザ）の入室が検知されることとなる。また、部屋Ｂの入り口付近において、非接触ＩＣタグ１００を、最初にＩＣタグＲＷ２Ｂが検知し、次にＩＣタグＲＷ２Ａが検知した場合には、ＨＳ１０によって部屋Ｂからの非接触ＩＣタグ１００（を保持したユーザ）の退室が検知されることとなる。
【００１６】
また、ＨＳ１０は、通信機能を有する全ての家電機器１１、１２、２１、２２・・・と非接触で通信可能であり、後述するように、特にＩＣタグＲＷ１Ａ、・・・、２Ｂから、各ＲＷにて検知した非接触ＩＣタグ１００の識別情報を受信して非接触ＩＣタグ１００（を保持したユーザ）の入出状況を判断すると、この判断した入出状況に基づいて、家電機器１１、・・・、２２に対して後述する制御情報を出力する。
【００１７】
本実施例では、家電機器として、例えば部屋Ａにテレビ１１とエアコン１２とが、部屋Ｂにはテレビ２１とエアコン２２とが取り付けられている。例えばテレビ１１、２１は、ＨＳ１０から制御情報として、例えば電源のＯＮ／ＯＦＦ、特定のチャンネル情報、音量に関する情報等が送信され、この制御情報を受信すると、制御情報に従って動作するようになっている。また、エアコン１２、２２は、ＨＳ１０から制御情報として、例えば電源のＯＮ／ＯＦＦ、温度に関する情報等が送信され、この制御情報を受信すると、制御情報に従って動作するようになっている。
【００１８】
また、ＨＳ１０は、非接触ＩＣタグ１００（を保持したユーザ）の退室と判断された場合には、家電機器１１、・・・、２２に対して制御情報を出力するばかりでなく、家電機器１１、・・・、２２の動作状況を受信するようになっている。即ち、ＨＳ１０は、退室と判断した場合、家電機器に対して現在の動作情報の送信を指示し、テレビ１１、２１からは電源のＯＮ／ＯＦＦ状態、ＯＮの場合には表示していたチャンネル情報や音量に関する情報が、また、エアコン１２、２２からは電源のＯＮ／ＯＦＦ状態、ＯＮの場合には温度情報がＨＳ１０へ送信されることとなる。
【００１９】
非接触ＩＣタグ１００は、本タグの識別に用いられる識別情報を記憶している。この非接触ＩＣタグ１００は、家屋内でユーザが意識することなく常に着用もしくは所持するものに取り付けられているものであり、本実施例では、例えば携帯電話やＰＤＡ（Ｐeｒｓｏｎａｌ  Ｄｉｇｉｔａｌ Ａｓｓｉｓｔａｎｔｓ）をはじめ、メガネ、時計、ライター等に取り付けられているものである。
【００２０】
そして、これらの常時携帯品に取り付けられた非接触ＩＣタグ１００は、後述する登録処理によって、ＨＳ１０に対して、どのユーザが所持するものであるのか登録されるようになっており、登録処理でユーザと対応付けられることによって初めてＨＳ１０による制御対象となりえる。
【００２１】
尚、部屋の入り口付近における複数のＩＣタグＲＷの取り付け位置は、本実施例に限定されず、特定の部屋における入出状況が判定できるような位置であればよい。例えば、図１に示すように、特定の部屋の内部に複数並べてもよく、また、特定の部屋の入り口外側に複数並べても良い。更には、一方は入り口の内側でもう一方は入り口の外側に取り付けることにより、入り口付近あるいは廊下を通過しただけで入出しない場合の誤検知をより少なくすることができる。
【００２２】
図２は、制御システムＡ、特にＨＳ１０の構成を示すブロック図である。図２に示すように、ＨＳ１０は、制御部３１、タグリーダ通信部３２、家電機器通信部３３、タグリーダ位置検出部３４、記憶部３５、入力部３６、ユーザ管理部３８及び機器管理部３９などから構成されている。
【００２３】
制御部３１は、ＨＳ１０全体の制御を司るものであり、後述する登録処理や制御処理を実行する。タグリーダ通信部３２は、各ＩＣタグＲＷ１Ａ、・・・、２Ｂとの通信を実行し、非接触ＩＣタグ１００の存在を検知したＩＣタグＲＷから、検知した非接触ＩＣタグ１００の識別情報や検知した日時情報等からなる検知情報を取得する。家電機器通信部３３は、各家電機器１１、・・・、２２との通信を実行し、対象となる家電機器に対して制御情報を送信したり、対象となる家電機器から現在の動作情報等を受信する。
【００２４】
タグリーダ位置検出部３４は、タグリーダ通信部３２を介して受信されたＩＣタグＲＷ１Ａ、・・・、２Ｂからの検知情報に基づいて、非接触ＩＣタグ１００がどの部屋を入退室したのかを検出する。記憶部３５は、後述する登録処理や制御処理を初めとする各種プログラムを記憶するとともに、登録処理によって、図３に示すような、非接触ＩＣタグ１００の識別情報とユーザを識別するためのユーザ情報とを対応付けた登録管理テーブルを記憶している。
【００２５】
この登録管理テーブルには、ユーザ情報（例えばＸ、Ｙ、・・・）と、このユーザ情報に対応する登録された非接触ＩＣタグの識別情報（例えばａａａａａ、ｂｂｂｂｂ、・・・）が対応付けされて管理されている。本実施例では、ユーザ情報「Ｘ」に対して、識別情報「ａａａａａ」と「ｂｂｂｂｂ」の２つが登録されており、ユーザＸが意識せずに家屋内で所持して移動するものとして２つの常時携帯品が登録されている。また、ユーザ情報「Ｙ」に対して、識別情報「ｃｃｃｃｃ」「ｄｄｄｄｄ」「ｅｅｅｅｅ」の３つが登録されており、ユーザＹが意識せずに家屋内で所持して移動するものとして３つの常時携帯品が登録されている。
【００２６】
入力部３６は、登録処理の際にユーザによって非接触ＩＣタグ１００の識別情報とユーザの識別情報とを入力するためのもので、例えばキーボードや非接触ＩＣタグＲＷであっても良い。ユーザ管理部３８は、ユーザに関する情報を保持／管理する。機器管理部３９は、制御対象となる各種家電機器１１、・・・、２２の種類や設置位置、機器毎の制御情報を予め記憶している。
【００２７】
本実施例において、この機器管理部３９に予め記憶されている機器毎の制御情報として、個々のユーザ固有の制御情報が機器毎に登録されている。即ち、ユーザ情報Ｘにおいては、ＴＶ１１、２１は、例えばチャンネル「１」で音量「１０」で電源ＯＮする制御情報が登録されており、エアコン１２、２２は、温度情報「１８℃」で電源ＯＮする制御情報が登録されている。ユーザ情報Ｙにおいては、ＴＶ１１、２１は、例えばチャンネル「１０」で音量「１４」で電源ＯＮする制御情報が登録されており、エアコン１２、２２は、温度情報「２１℃」で電源ＯＮする制御情報が登録されている。
【００２８】
この他、制御情報としては、ユーザ情報（特に年齢に関する情報）に基づいて、例えばＤＶＤプレーヤー等の再生装置においてはパレンタルロックをかけたり、またインターネットに接続可能な電子機器においては所定のウェブサイトへのアクセス制限がかかるようにしてもよい。
【００２９】
図４は、ＨＳ１０において、新たにユーザが保持することとなった常時携帯品に取り付けられた非接触ＩＣタグ１００を当該ユーザと対応付けるための登録処理を示すフローチャート図である。
【００３０】
図４に示すように、ＨＳ１０の制御部３１は、ユーザによって登録対象となる常時携帯品に取り付けられたＩＣタグ１００の識別情報を入力部３６を用いて読み取り、記憶部３５に登録されている図３に示すテーブルを参照し、既に登録されているかを確認する（ステップＳＴ１１）。
【００３１】
ＳＴ１１による確認の結果、ＩＣタグ１００の識別情報は既に登録されていると判定された場合には、ＳＴ１５の処理へと進む（ステップＳＴ１２のＹｅｓ）。ＳＴ１１による確認の結果、ＩＣタグ１００の識別情報は未登録であると判定されると（ステップＳＴ１２のＮｏ）、制御部３１は、図示せぬ表示部などによる通知手段を用いて、ユーザに対して、対応させるユーザに関するユーザ情報の入力あるいは選択を促し、これに応じて、入力部３６を介してユーザによりユーザ管理部３８に既に登録されているユーザ情報から、対応付けるユーザ情報が選択される（ステップＳＴ１３）。
【００３２】
ＳＴ１３により対応するユーザ情報が選択されると、制御部３１は、ＳＴ１１で読み取ったＩＣタグ１００の識別情報と、ＳＴ１３で選択されたユーザ情報とを対応付けるよう、記憶部３５に格納する（ステップＳＴ１４）。このＳＴ１４により記憶部３５における対応付けが行われると当該ＩＣタグ１００の登録処理は終了する。
【００３３】
この段階で、制御部３１は、後述する未登録のＩＣタグ１００の検知情報が記憶部３５に格納されている場合に、図示せぬ通知手段によってユーザに対して、未登録のＩＣタグ１００が検知された旨を通知する（ステップＳＴ１６）。
【００３４】
このＳＴ１６の通知に応じて、ユーザにより未登録のＩＣタグ１００の登録処理が実行される場合、あるいは別の新たなＩＣタグ１００の登録処理が継続実行される場合にはＳＴ１１の処理へと戻る（ステップＳＴ１７のＮｏ）。また、登録処理を行わない場合、あるいはＳＴ１５にて未登録のＩＣタグ１００の検知情報が記憶部３５に格納されていない場合には一連の処理を終了する（ステップＳＴ１６のＮｏ、ＳＴ１７のＹｅｓ）。
【００３５】
次に、図５乃至図１２を用いて、ユーザが意識せずに所持する常時携帯品に取り付けられた非接触ＩＣタグを検知することにより家電機器を制御する制御処理について説明する。本実施例においては、例えばユーザＸが、識別情報ａａａａａを有する登録済み非接触ＩＣタグ１００が取り付けれた常時携帯品を所持しながら、家屋内の部屋Ａに入室し、その後部屋Ａから部屋Ｂへ移動した場合を想定して説明する。
【００３６】
図５は、制御システムＡにおける制御処理を示すフローチャート図である。図６乃至図１２は、上述するよう想定した場合の各状況をそれぞれ示す図である。図６乃至図１２に示す状況図を用いながら、図５に示すフローチャート図に沿って説明する。
【００３７】
図６に示すように、ユーザＸが常時携帯品を所持した状態で、家屋内を移動し、部屋Ａへと入室すると、まずＩＣタグＲＷ１Ａが常時携帯品に取り付けられた非接触ＩＣタグ１００の識別情報を読み取り（ステップＳＴ２１のＹｅｓ）、ＨＳ１０へ検知情報（少なくとも読み取った識別情報ａａａａａと検知日時１０時２１分０１秒等）を送信する（ステップＳＴ２２）。
【００３８】
次に、ＩＣタグＲＷ１Ｂが常時携帯品に取り付けられた非接触ＩＣタグ１００の識別情報を読み取り（ステップＳＴ２１のＹｅｓ）、ＨＳ１０へ検知情報（少なくとも読み取った識別情報ａａａａａと検知日時１０時２１分０２秒等）を送信する（ステップＳＴ２２）。
【００３９】
ＨＳ１０の制御部３１は、タグリーダ通信部３２を介してＩＣタグＲＷ１Ａ、１Ｂからの検知情報を受信すると、この検知情報に含まれる時間情報に基づいて、識別情報ａａａａａを有する非接触ＩＣタグ１００が部屋Ａに入室したと判定する（ステップＳＴ３１）。また、制御部３１は、記憶部３５に記憶された図３に示す登録テーブルから、検知情報に含まれる識別情報ａａａａａが登録されているか判定するとともに、更にはどのユーザに対応付けされているかを特定する（ステップＳＴ３２）。
【００４０】
ＳＴ３２による判定の結果、登録されていないと判定された場合には（ステップＳＴ３３のＮｏ）、後述するような家電機器に対する制御情報の指示は行わずに、記憶部３５に未登録ＩＣタグの検知情報を格納し、一連の処理を終了する（ステップＳＴ３４）。ここで格納された未登録ＩＣタグの検知情報に基づいて、図４で説明した登録処理時のＳＴ１５〜ＳＴ１６の処理が実行されることとなる。
【００４１】
ＳＴ３２による判定の結果、既に登録されており（ステップＳＴ３３のＹｅｓ）、ユーザＸのユーザ情報に対応付けされていると特定され、ユーザＸの部屋Ａへの入室と判定されると（ステップＳＴ３５のＹｅｓ）、次に制御部３１は他の部屋において同一ユーザに関して検知されているかを判定する（ステップＳＴ３６）。
【００４２】
ＳＴ３６の判定の結果、他の部屋では検知されておらず、重複検知されていないと判定され（ステップＳＴ３７のＮｏ）、制御部３１は、図７に示すように、検知したＩＣタグＲＷ１Ａ、１Ｂが設置された部屋Ａに設置され、予め機器管理部３９にて管理されている家電機器、例えばＴＶ１１、エアコン１２に対して、機器管理部３９に登録されている制御情報を家電機器通信部３３を介して送信する（ステップＳＴ３８）。本実施例の場合、ユーザの入室と判定されているので、制御情報として電源ＯＮ等が考えられ、この制御情報を受けて、家電機器（ＴＶ１１、エアコン１２）は、例えば電源ＯＮする。
【００４３】
この状態で、図８に示すように、ユーザＸが常時携帯品を所持した状態で部屋Ａを退室すると、まずＩＣタグＲＷ１Ｂが常時携帯品に取り付けられた非接触ＩＣタグ１００の識別情報を読み取り（ステップＳＴ２１のＹｅｓ）、ＨＳ１０へ検知情報（少なくとも読み取った識別情報ａａａａａと検知日時１０時２５分０１秒等）を送信する（ステップＳＴ２２）。
【００４４】
次に、ＩＣタグＲＷ１Ａが常時携帯品に取り付けられた非接触ＩＣタグ１００の識別情報を読み取り（ステップＳＴ２１のＹｅｓ）、ＨＳ１０へ検知情報（少なくとも読み取った識別情報ａａａａａと検知日時１０時２５分０２秒等）を送信する（ステップＳＴ２２）。
【００４５】
ＨＳ１０の制御部３１は、タグリーダ通信部３２を介してＩＣタグＲＷ１Ａ、１Ｂからの検知情報を受信すると、この検知情報に含まれる時間情報に基づいて、識別情報ａａａａａを有する非接触ＩＣタグ１００が部屋Ａを退室したと判定する（ステップＳＴ３１）。また、制御部３１は、記憶部３５に記憶された図３に示す登録テーブルから、検知情報に含まれる識別情報ａａａａａが登録されているか判定するとともに、更にはどのユーザに対応付けされているかを特定する（ステップＳＴ３２）。
【００４６】
ＳＴ３２による判定の結果、既に登録されており（ステップＳＴ３３のＹｅｓ）、ユーザＸのユーザ情報に対応付けされていると特定され、ユーザＸの部屋Ａからの退室と判定されると（ステップＳＴ３５のＮｏ）、次に制御部３１は、図９に示すように、検知したＩＣタグＲＷ１Ａ、１Ｂが設置された部屋Ａに設置され、予め機器管理部３９にて管理されている家電機器、例えばＴＶ１１、エアコン１２に対して、家電機器通信部３３を介して現在の動作情報を通知するようコマンドを送信する。
【００４７】
このコマンドに対応して、制御対象となる家電機器は、現在の動作情報（例えばＴＶ１１であれば電源ＯＮ／ＯＦＦ情報、チャンネル情報、音量情報、エアコン１２であれば電源ＯＮ／ＯＦＦ情報、温度情報）をＨＳ１０へと送信する。
【００４８】
ＨＳ１０の制御部３１は、家電機器通信部３３を介して、制御対象となる家電機器からの動作情報を受信すると、記憶部３５に格納するとともに、家電機器通信部３３を介して、機器管理部３９に登録されている制御情報を送信する（ステップＳＴ３９）。本実施例の場合、ユーザの退室と判定されているので、制御情報として電源ＯＦＦ等が考えられ、この制御情報を受けて、家電機器（ＴＶ１１、エアコン１２）は、例えば電源ＯＦＦする。
【００４９】
引き続き、図１０に示すように、ユーザＸが同じ常時携帯品（識別情報ａａａａａ）を所持した状態で部屋Ｂへと入室した場合、同様に、ＩＣタグＲＷ１Ｂ、２Ｂにより常時携帯品に取り付けられた非接触ＩＣタグ１００の識別情報を読み取り（ステップＳＴ２１のＹｅｓ）、ＨＳ１０へ検知情報を送信する（ステップＳＴ２２）ことにより、ＨＳ１０の制御部３１は、識別ａａａａａを有する非接触ＩＣタグ１００に対応するユーザＸが部屋Ｂへ入室したことを判定し（ステップＳＴ３１〜ＳＴ３７）、同一ユーザの重複判定がなければ、図１１に示すように、検知した部屋Ｂにおける家電機器（ＴＶ２１、エアコン２２）に対して制御情報を送信するようになっている（ステップＳＴ３８）。
【００５０】
本実施例では、ここで送信する制御情報として、ＳＴ３９で取得した直前までユーザが居た部屋Ａにおける家電機器（ＴＶ１１、エアコン１２）の動作情報を、部屋Ｂに設置された家電機器（ＴＶ２１、エアコン２２）へ送信しても良い。この結果、ユーザは意識することなく所持する常時携帯品に取り付けられた非接触ＩＣタグを自動的に検知されることにより、ユーザの移動（通過）に伴って、退出する部屋の家電機器は自動的に電源ＯＦＦし、移動（入室）する部屋の家電機器が自動的に同じ設定下で電源ＯＮすることが可能となる。
【００５１】
また、図１２に示すように、ユーザＸが識別情報ａａａａａの非接触ＩＣタグ１００が取り付けられた常時携帯品を部屋Ａに残した状態で部屋Ａを退室し、識別情報ｂｂｂｂｂの非接触ＩＣタグ２００が取り付けられた常時携帯品を所持して部屋Ｂに入室した場合には、ＨＳ１０の制御部３１は、部屋Ａにて非接触ＩＣタグ１００の存在を検知した状態で、部屋ＢへのユーザＸの入室を検知することとなる。
【００５２】
このような場合には、図５に示すフローチャート図において、ＳＴ３６の判定の結果、部屋Ａ及び部屋Ｂにて同一ユーザＸが重複検知されていると判定される（ステップＳＴ３７のＹｅｓ）。ＨＳ１０の制御部３１は、検知情報の時間情報に基づいて、最新の検知情報を優先して取り扱うこととし（ステップＳＴ４０）、図１２に示すように、部屋Ｂに設置され、予め機器管理部３９にて管理されている家電機器、例えばＴＶ２１、エアコン２２に対して、機器管理部３９に登録されている制御情報を送信する（ステップＳＴ３８）。
【００５３】
このように、本実施例では、直接的にユーザを特定する情報を保持していない非接触記憶媒体がユーザが家屋内でその携帯を意識することなく持ち歩く品物に取り付けられており、事前に非接触記憶媒体の識別情報をホームサーバにユーザ情報と関連付けて登録しておくことにより、家屋内の部屋（所定空間）への入退室を検知し、更には検知した識別情報から対応付けられたユーザを特定し、ユーザが存在する部屋に設置された電子機器（家電機器）への制御を実行するようになっている。
【００５４】
従って、ユーザ自身を直接的に特定するための機器を所持することをユーザが意識する必要がなく、家屋内におけるユーザ自身の移動状況（所在）に応じてホームサーバによる周辺の電子機器（家電機器）への制御が行われることとなる。
【図面の簡単な説明】
【００５５】
【図１】本発明の実施形態における制御装置としてのホームサーバ（以下ＨＳと称す）１０を用いた制御システムＡを示す図。
【図２】制御システムＡのブロック図。
【図３】登録管理テーブルを示す図。
【図４】登録処理を示すフローチャート図。
【図５】制御処理を示すフローチャート図。
【図６】制御システムが設置された家屋内におけるユーザＸの移動状況及び制御過程を説明するための図。
【図７】制御システムが設置された家屋内におけるユーザＸの移動状況及び制御過程を説明するための図。
【図８】制御システムが設置された家屋内におけるユーザＸの移動状況及び制御過程を説明するための図。
【図９】制御システムが設置された家屋内におけるユーザＸの移動状況及び制御過程を説明するための図。
【図１０】制御システムが設置された家屋内におけるユーザＸの移動状況及び制御過程を説明するための図。
【図１１】制御システムが設置された家屋内におけるユーザＸの移動状況及び制御過程を説明するための図。
【図１２】制御システムが設置された家屋内におけるユーザＸの移動状況及び制御過程を説明するための図。
【符号の説明】
【００５６】
Ａ    制御システム
１Ａ、１Ｂ、２Ａ、２Ｂ    ＩＣタグリーダライタ（ＲＷ）
１０    制御装置、ホームサーバ（ＨＳ）
１１、２１    ＴＶ（家電機器）
１２、２２    エアコン（家電機器）
１００    非接触ＩＣタグ
【図１】
2005190274.tif 000003
【図２】
2005190274.tif 000004
【図３】
2005190274.tif 000005
【図４】
2005190274.tif 000006
【図５】
2005190274.tif 000007
【図６】
2005190274.tif 000008
【図７】
2005190274.tif 000009
【図８】
2005190274.tif 000010
【図９】
2005190274.tif 000011
【図１０】
2005190274.tif 000012
【図１１】
2005190274.tif 000013
【図１２】
2005190274.tif 000014